(57)【要約】【課題】爪の輪郭に沿って爪切りの向きを変えたり、爪切りに対して指の向きを変えたりする必要なく、楽な姿勢及び楽な動作で爪を切ることができる爪切りを提供する。【解決手段】爪切り１は、一端に下向き刃１１ｂが設けられた第一プレート１１、及び、下向き刃と対面する上向き刃１２ｂが一端に設けられ下向き刃と上向き刃とを離隔させる方向に付勢されつつ第一プレートと接合されている第二プレート１２を備える爪切り本体１０と、第一プレートの端部、及び、第二プレートの端部に挿通され、爪切り本体を回転可能に支持する支軸部１５と、第一プレートから突出した支軸部１５の端部に、支軸部の軸心に直交する軸（直交軸部２５の軸心）周りに回動可能に支持されている操作レバー２０と、支軸部の他端を支持している支持レバー３０と、操作レバーに突設され、操作レバーが前記直交する軸周りに回動した際に第一プレートに当接する押圧体５１とを具備する。【選択図】図１
2010187725.tif 000002
【特許請求の範囲】
【請求項１】
一端に下向き刃が設けられた第一プレート、及び、前記下向き刃と対面する上向き刃が一端に設けられ、前記下向き刃と前記上向き刃とを離隔させる方向に付勢されつつ前記第一プレートと接合されている第二プレートを備える爪切り本体と、
前記第一プレートの前記下向き刃側の端部、及び、前記第二プレートの前記上向き刃側の端部に挿通され、前記爪切り本体を回転可能に支持する支軸部と、
前記第一プレートから突出した前記支軸部の端部に、前記支軸部の軸心に直交する軸周りに回動可能に支持されている操作レバーと、
前記第二プレートから突出した前記支軸部の端部を支持している支持レバーと、
前記操作レバーに突設され、前記操作レバーが前記直交する軸周りに前記第一プレート側に回動した際に前記第一プレートに当接する押圧体と
を具備することを特徴とする爪切り。
【請求項２】
前記操作レバー及び支持レバーのそれぞれは、複数のバー部材の長軸方向に沿った相対的な摺動により、長さを可変に構成されていることを特徴とする請求項１に記載の爪切り。
【請求項３】
前記操作レバーと前記第一プレートとの間に配され、一端が前記第一プレートの前記下向き刃が設けられている側の端部に支持されていると共に、他端が前記支持レバーに支持されている押圧力伝達プレートを、更に具備することを特徴とする請求項１または請求項２に記載の爪切り。
【請求項４】
前記押圧体は、前記操作レバーの前記第一プレート側に設けられており、
前記操作レバーが前記直交する軸周りに前記第一プレート側に回動した際に前記押圧体が前記第一プレートに当接する使用位置、及び、当接しない不使用位置に前記押圧体を変位させる押圧体変位機構を更に具備する
ことを特徴とする請求項１乃至請求項３の何れか一つに記載の爪切り。
【発明の詳細な説明】
【技術分野】
【０００１】
本発明は、梃子の原理を用いて手足の爪を切る手動の爪切りに関するものである。
【背景技術】
【０００２】
手足の爪を切る手動の爪切りとしては、従来、図６に示す構成の爪切り１００が多用されている。これは、一端に下向き刃１１１が設けられた第一プレート１１０と、下向き刃１１１と対面する上向き刃１１２が一端に設けられ他端側で第一プレート１１０と接合されている第二プレート１２０と、第一プレート１１０の下向き刃１１１側の端部、及び、第二プレート１２０の上向き刃１１２側の端部に挿通された支軸部１１５と、第一プレート１１０から突出した支軸部１１５の端部に、支軸部１１５の軸心に直交する軸を軸心とする直交軸部１２５に回動可能に支持されている操作レバー１３０とを具備するものである。第一プレート１１０及び第二プレート１２０は通常金属で構成されており、少なくとも一方を湾曲させた上で接合することにより、その弾性によって下向き刃１１１と上向き刃１１２とを離隔させる方向に付勢されている。また、操作レバー１３０の片面に突部１５０が形成されており、操作レバー１３０が反転可能な構成とされているものが一般的である。
【０００３】
このような構成により、不使用時には突部１５０が設けられた側が操作レバー１３０の上面となるようにしておき、使用時には操作レバー１３０を反転させる。そして、操作レバー１３０を押し下げて直交軸部１２５の軸心周りに第一プレート１１０側に回動させることにより、操作レバー１３０は押し下げ力が加えられる点を力点、直交軸部１２５の軸心を支点とする梃子として働き、突部１５０を作用点として第一プレート１１０を押圧する。その結果、第一プレート１１０は第二プレート１１０との接合部を支点、突部１５０を力点とする梃子として働き、下向き刃１１１と上向き刃１１２とを離隔させる方向の付勢に抗して第二プレート１２０に接近し、下向き刃１１１は上向き刃１１２と噛合して両者間で爪が切断される。
【発明の概要】
【発明が解決しようとする課題】
【０００４】
上記のような構成の従来の爪切りでは、爪切りの刃先を爪先に向けるために、爪の輪郭に沿って爪切りの向きを変えるか、あるいは、爪切りに対して指の向きを変えなくてはならず、不便であった。特に、足指の爪を切る場合は、足指の向きを変えることは難しいため、自ずと爪切りを把持している手を爪の輪郭に沿って移動させることとなる。そのため、足指の先端部の爪を切る場合や、利き腕とは反対側の側面の爪を切る場合などは、大きく腕を伸ばした状態で、手首を曲げて爪切りの刃先を自身の方を向けるという不自然な姿勢をとる必要があり、大変不便であった。また、このような姿勢及び動作は、高齢者、腰を痛めている人、妊婦、肥満体型の人など前屈動作をしにくい人にとっては、非常に困難なものであった。
【０００５】
そこで、本発明は、上記の実情に鑑み、爪の輪郭に沿って爪切りの向きを変えたり、爪切りに対して指の向きを変えたりする必要なく、楽な姿勢及び楽な動作で爪を切ることができる爪切りの提供を、課題とするものである。
【課題を解決するための手段】
【０００６】
上記の課題を解決するため、本発明にかかる爪切りは、「一端に下向き刃が設けられた第一プレート、及び、前記下向き刃と対面する上向き刃が一端に設けられ、前記下向き刃と前記上向き刃とを離隔させる方向に付勢されつつ前記第一プレートと接合されている第二プレートを備える爪切り本体と、前記第一プレートの前記下向き刃側の端部、及び、前記第二プレートの前記上向き刃側の端部に挿通され、前記爪切り本体を回転可能に支持する支軸部と、前記第一プレートから突出した前記支軸部の端部に、前記支軸部の軸心に直交する軸周りに回動可能に支持されている操作レバーと、前記第二プレートから突出した前記支軸部の端部を支持している支持レバーと、前記操作レバーに突設され、前記操作レバーが前記直交する軸部周りに前記第一プレート側に回動した際に前記第一プレートに当接する押圧体とを」具備している。
【０００７】
「第一プレート」及び「第二プレート」は、例えば鋼などの金属製とし、その一端にそれぞれ下向き刃及び上向き刃が一体的に形成されている構成とすることができる。或いは、第一プレートと下向き刃、第二プレートと上向き刃がそれぞれ別体で形成されており、接着や溶着等によって一体化されている構成とすることもできる。その場合、第一プレート及び第二プレートは樹脂、金属、セラミックス製とすることができ、下向き刃及び上向き刃は金属、セラミックス製とすることができる。
【０００８】
第一プレート及び第二プレートが「前記下向き刃と前記上向き刃とを離隔させる方向に付勢されつつ接合されている」構成としては、金属など弾性を有する材料で形成された第一プレート及び第二プレートの少なくとも一方が湾曲させられており、それぞれの一端側が離隔するように接合されている構成や、第一プレート及び第二プレートがヒンジ部を介して接合されており、第一プレート及び第二プレートそれぞれの他端側が拡開するように、ヒンジ部に設けられたバネによって付勢されている構成を例示することができる。
【０００９】
「操作レバー」が「前記支軸部の端部に、前記支軸部の軸心に直交する軸周りに回動可能に支持されている」構成としては、操作レバーの端部に支軸部の端部を挟み込むことができるＵ字状の窪みが形成され、その部分で操作レバーを幅方向に貫通する孔部が設けられていると共に、支軸部の端部にも軸心に直交する方向に貫通する孔部が設けられており、操作レバーのＵ字状の窪みに支軸部の端部を挟み込んだ状態で、操作レバーを貫通する孔部及び支軸部を貫通する孔部にピンが挿通されている周知の構成を例示することができる。この場合、支軸部及び操作レバーをそれぞれ貫通する孔部に挿通されたピンの軸心が「支軸部の軸心に直交する軸」に相当する。また、支軸部の軸心に直交する軸の構成としては、上記のピンのように軸部材を備えることを必ずしも必要としない。例えば、上記の操作レバーのＵ字状の窪みにおいて、窪みの内側に向けて両側から一対の爪部が突設されていると共に、支軸部の端部において軸心に直交する方向に一対の凹部を設け、爪部が凹部に引き掛け係止されている構成によっても「前記支軸部の端部に、前記支軸部の軸心に直交する軸周りに回動可能に支持されている」構成とすることができる。
【００１０】
「押圧体」は、操作レバーと一体的に形成されているものであっても、操作レバーとは別体に形成された押圧体が操作レバーに取り付けられているものであっても良い。また押圧体の形状は特に限定されず、断面円形、断面半円形、断面三角形を例示することができる。
【００１１】
上記構成により、爪切り本体は支軸部の軸心周りに回転可能であるため、操作レバー及び支持レバーの長軸方向とは異なる方向に爪切り本体を回転させ、爪切りの刃先、すなわち下向き刃及び上向き刃の刃先を、任意の方向に向けることができる。そして、その状態で操作レバーを支持レバーに向けて押し下げれば、操作レバーは押し下げ力が加えられた点を力点、支軸部に直交する軸の軸心を支点、押圧体を作用点とする梃子として第一プレートを押圧し、第一プレートは下向き刃と上向き刃とを離隔させる方向の付勢に抗して押し下げられ、下向き刃と上向き刃が噛合して爪が切断される。
【００１２】
従って、本発明によれば、爪切り本体を支軸部の軸心周りに回転させることによって、爪切りの刃先の向きを自由に変えることができるため、爪の輪郭に沿って爪切りの向きを変えたり、爪切りに対して指の向きを変えたりする必要がなく、楽な姿勢及び楽な動作で爪を切ることができる。そして、操作レバー及び支持レバーの長さの分だけ、常に爪先より身体に近い位置で爪切り動作を行うことができるため、足指の先端部の爪を切る場合であっても、また、利き腕とは反対側の側面の爪を切る場合であっても、腕を大きく伸ばしたり手首を曲げたりする必要がなく、無理のない姿勢で爪切りを行うことができる。また、大きく前屈する必要がないため、前屈動作のし難い人であっても楽に爪切りを行うことができる。
【００１３】
本発明にかかる爪切りは、「前記操作レバー及び支持レバーのそれぞれは、複数のバー部材の長軸方向に沿った相対的な摺動により、長さを可変に構成されている」ものとすることができる。
【００１４】
「複数のバー部材が長軸方向に沿って相対的に摺動する」構成としては、一つのバー部材が他の筒状のバー部材に摺動自在に内嵌している構成や、一つのバー部材が他のバー部材と、それぞれの長軸方向が平行となるように隣接して配されている構成を例示することができる。
【００１５】
上記構成の本発明によれば、手指の爪を切るときは操作レバー及び支持レバーの長さを短くしておき、足指の爪を切るときは操作レバー及び支持レバーの長さを長くして使用することができる。そのため、足指の爪を切る際に必要となる前屈の度合いが一層小さいものとなり、より楽な姿勢で爪を切ることができる。また、使用者は、自分の体格や前屈のし易さに応じて、最も使い勝手の良い長さに操作レバー及び支持レバーの長さを調整することができる。
【００１６】
本発明にかかる爪切りは、上記構成に加え、「前記操作レバーと前記第一プレートとの間に配され、一端が前記第一プレートの前記下向き刃が設けられている側の端部に支持されていると共に、他端が前記支持レバーに支持されている押圧力伝達プレートを」具備するものとすることができる。
【００１７】
支軸部と押圧体の位置関係にもよるが、爪切り本体が操作レバーの長軸方向に対して大きな角度となるように回転している場合は、押圧体が第一プレートに当接する点が第一プレートの端近くであったり、第一プレート上から外れたりするおそれがある。これに対し、本発明では、操作レバーと第一プレートとの間に押圧力伝達プレートが配され、第一プレートの刃先側の端部と支持プレートとの間で架け渡されているため、押圧体の位置によらず、押圧体が操作レバーから受けた押圧力を、第一プレートの刃先側の端部に全体的に伝達することができる。これにより、爪切り本体をどのような角度まで回転させた状態であっても、操作レバーによる押圧力を第一プレートに確実に伝達し、効率良く爪を切断することができる。
【００１８】
本発明にかかる爪切りは、「前記押圧体は、前記操作レバーの前記第一プレート側に設けられており、前記操作レバーが前記直交する軸部周りに前記第一プレート側に回動した際に前記押圧体が前記第一プレートに当接する使用位置、及び、当接しない不使用位置に前記押圧体を変位させる押圧体変位機構を更に具備する」ものとすることもできる。
【００１９】
「押圧体変位機構」としては、操作プレートを幅方向に横切る棒状に押圧体を構成し、操作プレートの側面から押圧体を吊り下げ、吊り下げの支点を中心に押圧体をブランコのように回動させる構成、操作プレートに対して摺動自在に外嵌させた筒状の部材に押圧体を支持させた構成、操作プレートの第一プレート側の表面に長軸方向に沿ってガイド溝を設け、ガイド溝の内部に押圧体の基部を嵌め込んで押圧体をスライドさせる構成を例示することができる。
【００２０】
上記構成の本発明によれば、従来の爪切りとは異なり、押圧体を第一プレートと当接させるために操作プレートを反転させる必要がないため、より簡易な操作で爪を切ることができる。また、従来の爪切りでは、操作プレートを反転させていない状態、すなわち爪切りの不使用時には、押圧体が操作プレートの上面に突出していた。これに対し、本発明では操作プレートの上面に押圧体が突出することがないため、押圧体が何かに引掛るなど邪魔になることがなく、且つ、外観のすっきりした爪切りとなる。
【発明の効果】
【００２１】
以上のように、本発明の効果として、爪の輪郭に沿って爪切りの向きを変えたり、爪切りに対して指の向きを変えたりする必要なく、楽な姿勢及び楽な動作で爪を切ることができる爪切りを、提供することができる。
【図面の簡単な説明】
【００２２】
【図１】本発明の一実施形態である爪切りの構成を示す斜視図である。
【図２】図１の爪切りについて操作レバー及び支持レバーの長さの変化を説明する側面図である。
【図３】図１の爪切りについて押圧体の変位を説明する側面図である。
【図４】図１の爪切りについて爪切り本体の回転を説明する平面図である。
【図５】図１の爪切りについて押圧体による第一プレートの押圧を説明する平面図である。
【図６】従来の爪切りの構成を示す側面図である。
【発明を実施するための形態】
【００２３】
以下、本発明の一実施形態である爪切り１について、主に図１に基づいて説明する。本実施形態の爪切り１は、一端に下向き刃１１ｂが設けられた第一プレート１１、及び、下向き刃１１ｂと対面する上向き刃１２ｂが一端に設けられ、下向き刃１１ｂと上向き刃１２ｂとを離隔させる方向に付勢されつつ第一プレート１１と接合されている第二プレート１２を備える爪切り本体１０と、第一プレート１１の下向き刃１１ｂ側の端部、及び、第二プレート１２の上向き刃１２ｂ側の端部に挿通され、爪切り本体１０を回転可能に支持する支軸部１５と、第一プレート１１から突出した支軸部１５の端部に、支軸部１５の軸心に直交する軸を軸心とする直交軸部２５に回動可能に支持されている操作レバー２０と、第二プレート１２から突出した支軸部１５の端部を支持している支持レバー３０と、操作レバー２０に突設され、操作レバー２０が直交軸部２５の軸心周りに第一プレート１１側に回動した際に第一プレート１１に当接する押圧体５１とを具備している。
【００２４】
更に、本実施形態の爪切り１は、第一プレート１１と操作レバー２０との間に配された押圧力伝達プレート４０を具備している。具体的には、押圧力伝達プレート４０は、一端が第一プレート１１の下向き刃１１ｂが設けられている側の端部において、支軸部１５を挿通させつつ第一プレート１１に支持されており、他端は支持レバー３０に支持されている。また、本実施形態の爪切り本体１０には、第一プレート１１と第二プレート１２との間で側方に解放された空間を閉塞し、切断された爪の飛散を防止する飛散防止板１９が設けられている。
【００２５】
また、操作レバー２０及び支持レバー３０のそれぞれは、複数のバー部材の長軸方向に沿った相対的な摺動により、長さを可変に構成されている。より詳細に説明すると、支持レバー３０は、第一支持バー部材３１と第二支持バー部材３２とから構成されており、第一支持バー部材３１は角棒状であって、一端側で支軸部１５を支持している。一方、第二支持バー部材３２は角筒状で、第一支持バー部材３１を支軸部１５側とは反対の端部側で摺動自在に内嵌させている。また、第一支持バー部材３１において第二支持バー部材３２に内嵌されている部分には、板ばね３３が取り付けられている。一方、第二支持バー部材３２には、板ばね３３の幅より若干広い幅に開口し、板ばね３３の突出を許容する位置決め開口部３４が複数設けられている。
【００２６】
更に、第一支持バー部材３１には、第二支持バー部材３２が摺動可能な範囲を規制するための二つのストッパ３７ａ，３７ｂが突設されており、第二支持バー部材３２には、第一支持バー部材３１と第二支持バー部材３２の相対的なスライドに伴うストッパ３７ａ，３７ｂの移動を許容する溝部３５が長軸方向に沿って形成されている。そして、溝部３５の幅は一か所で狭められ、ストッパ３７ａ，３７ｂをそれぞれ係止するストッパ受部３８ａ，３８ｂが形成されている。なお、本実施形態では、一方のストッパ３７ａは、押圧力伝達プレート４０を支持レバー３０に留め付けている締結部材を兼ねている。
【００２７】
また、操作レバー２０は、支軸部１５の端部に支持された角棒状の第一操作バー部材２１と、支軸部１５側とは反対の端部側で第一操作バー部材２１を摺動自在に内嵌させた角筒状の第二操作バー部材２２を備えている。第一操作バー部材２１及び第二操作バー部材２２は、それぞれ上記の第一支持バー部材３１及び第二支持バー部材３２と同様の構成であるため、詳細な図示及び説明は省略する。
【００２８】
本実施形態の押圧体５１は、操作レバー２０を横切るように操作レバー２０と当接可能な丸棒状であり、その両端には細長い平板状の吊り下げ部材５２の一対がそれぞれ同一方向に接続されており、押圧体５１と一対の吊り下げ部材５２によってコ字形を形成している。ここで、一対の吊り下げ部材５２は、操作レバー２０の対向する一対の側面に、それぞれ押圧体回動軸部５５によって回動自在に軸支されている。そして、爪切り１を使用しない不使用時には、図２（ａ）に示すように、押圧体回動軸部５５の軸心周りに吊り下げ部材５２を支軸部１５とは反対側に回動させ、押圧体５１を第一プレート１１に当接しない不使用位置に変位させ、爪切り１全体をコンパクトですっきりとした状態にしておくことができる。なお、押圧体回動軸部５５及び吊り下げ部材５２によって押圧体５１を変位させる機構が、本発明の「押圧体変位機構」に相当する。
【００２９】
次に、本実施形態の爪切り１の動作及び使用方法について説明する。まず、第一支持バー部材３１に対して第二支持バー部材３２を相対的にスライドさせることにより、支持レバー３０の長さを変えることができる。このとき、板ばね３３は、第一支持バー部材３１の表面と第二支持バー部材３２の内壁との間の空隙で弾性変形して第一支持バー部材３１及び第二支持バー部材３２の相対的なスライドを許容するが、位置決め開口部３４の位置にきたとき、この位置決め開口部３４から突出して第一支持バー部材３１及び第二支持バー部材３２の相対的なスライドに対する抵抗となる。これにより、位置決め開口部３４の位置及び数に応じて、支持レバー３０の長さを不連続に変化させることができる。ここで、図２（ａ）は本実施形態において支持レバー３０が最短の場合を図示しており、図２（ｂ）は、本実施形態において支持レバー３０が最長の場合を図示している。
【００３０】
第一支持バー部材３１と第二支持バー部材３２との相対的なスライドに伴って、ストッパ３７ａ，３７ｂは溝部３５に沿って相対的に移動するが、ストッパ３７ａがストッパ受部３８ａに当接することにより、それ以上に第二支持バー部材３２が支軸部１５側に向かって押し込まれることを防止することができる。一方、ストッパ３７ｂがストッパ受部３８ｂに当接することによりストッパ３７ｂが抜け止めとなり、それ以上に第二支持バー部材３２が外側に引き出されることを防止することができる。なお、操作レバー２０の長さも、同様に変化させることができる。
【００３１】
爪を切る際には、図３（ａ）に示すように、吊り下げ部材５２を押圧体回動軸部５５の軸心周りに回動させ、吊り下げ部材５２を介して押圧体５１を押圧体回動軸部５５の軸心周りに支軸部１５側に回動させる。そして、図３（ｂ）に示すように、押圧体５１が操作レバー２０と第一プレート１１との間で挟持された位置が、押圧体５１の使用位置である。この状態で、操作レバー２０を支持レバー３０に向かって押し下げれば、操作レバー２０は直交軸部２５の軸心周りに回動し、押圧体５１を介して第一プレート１１を押圧し、下向き刃１１ｂを上向き刃１２ｂに接近させて噛合させ、爪を切断することができる。
【００３２】
このとき、本実施形態の爪切り本体１０は、支軸部１５の軸心周りに回転自在であるため、図４（ａ）〜図４（ｄ）に示すように、下向き刃１１ｂ及び上向き刃１２ｂの刃先を操作レバー２０及び支持レバー３０の長軸方向とは異なる方向に向けて、爪を切ることができる。ここで、利き腕側の側面の爪を切るときであっても、利き腕とは反対側の側面の爪を切るときであっても、図４（ｃ）及び図４（ｄ）に示すように爪切り本体１０の支軸部１５を軸心周りに回転させることにより、何れの場合も同じように、自身の身体の近くで、且つ、利き腕側で、支持レバー３０に対する操作レバー２０の押し下げ操作を行うことができる。
【００３３】
また、第一プレート１１及び第二プレート１２の長軸方向が操作レバー２０の長軸方向と一致している場合は、図５（ａ）に示すように、押圧体５１は第一プレート１１の支軸部１５側の端部を均一に押圧するのに対し、爪切り本体１０を操作レバー２０の長軸方向に対して大きな角度で回転させた場合は、図５（ｂ）に示すように、押圧体５１によって第一プレート１１の支軸部１５側の端部の一部しか押圧できない。しかしながら、本実施形態では、押圧力伝達プレート４０が第一プレート１１の支軸部１５側の端部と支持レバー３０との間に架け渡されているため、操作レバー２０の押圧により押圧体５１が受けた押圧力を、押圧力伝達プレート４０を介して確実に第一プレート１１に伝達することができる。
【００３４】
上記のように、本実施形態によれば、爪の輪郭に沿って爪切り１の向きを変えたり、爪切り１に対して指の向きを変えたりする必要なく、楽な姿勢及び楽な動作で爪を切ることができる。加えて、操作レバー２０及び支持レバー３０の長さを長くすることができるため、足指の爪を切る場合であっても大きく前屈する必要がなく、腰を痛めた人や妊婦など、前屈動作のし難い人であっても楽に爪を切ることができる。
【００３５】
加えて、操作レバー２０を反転させることなく押圧体５１を第一プレート１１に当接させることができるため、より操作が簡易である。また、本実施形態では、押圧体５１及びこれを使用位置と不使用位置に変位させる機構は、棒状の押圧体５１とコ字形を形成する一対の吊り下げ部材５２と、吊り下げ部材５２を操作レバー２０に回動自在に軸支する押圧体回動軸部５５という、極めて簡易な構成により実現されている。
【００３６】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３７】
例えば、上記では、押圧体５１及び一対の吊り下げ部材５２がコ字形を形成している場合を例示したが、これに限定されず、押圧体と一本の吊り下げ部材によってＬ字形を形成させ、操作レバーの側面に片持ち状に軸支される構成とすることができる。
【００３８】
また、上記では、操作レバー及び支持レバーが、それぞれ相対的に摺動する二つのバー部材によって長さが可変となっている構成を例示したが、これに限定されず、三以上のバー部材の相対的な摺動によって、更に長さを長くすることが可能な構成とすることもできる。
【００３９】
加えて、支持レバーの上面において支持軸の軸心周りの所定角度位置に係合突部を設け、これに対応する位置において第二プレートの下面に係合凹部を設けることができる。これにより、係合突部と係合凹部の係合により、爪切り本体が支軸部の軸心周りに所定角度回転した状態が保持され、安定した状態で爪を切ることができる。或いは、同様の目的で、第一プレートの上面において支持軸の軸心周りの所定角度位置に係合突部を設け、これに対応する位置において押圧力伝達プレートの下面に係合凹部を設けることができる。なお、上記において、係合突部と係合凹部との関係は逆とすることも可能である。
【符号の説明】
【００４０】
１  爪切り
１０  爪切り本体
１１  第一プレート
１１ｂ  下向き刃
１２  第二プレート
１２ｂ  上向き刃
１５  支軸部
２０  操作レバー
３０  支持レバー
４０  押圧力伝達プレート
５０  押圧体変位機構
５１  押圧体
５２  吊り下げ部材（押圧体変位機構）
５５  押圧体回動軸部（押圧体変位機構）
【図１】
2010187725.tif 000003
【図２】
2010187725.tif 000004
【図３】
2010187725.tif 000005
【図４】
2010187725.tif 000006
【図５】
2010187725.tif 000007
【図６】
2010187725.tif 000008